(57)【要約】【課題】屋外の雨水や埃等の異物が乗場あるいはかご室内に回り込まないようにしたエレベータのドア装置を提供する。【解決手段】かごのドア１と、このドア１の屋外側の面１ａと隙間を存して対向配置された外装カバー９と、ドア１の屋外側の面１ａの全幅にわたって設けられ外装カバー９の下端部とドア１の屋外側の面１ａとの間から雨水や埃等の異物が侵入するのを阻止する異物侵入阻止部材１３とを具備することを特徴とするエレベータのドア装置。【選択図】　　　図２
2004115182.tif 000002
【特許請求の範囲】
【請求項１】
乗場あるいはかごのドアと、このドアの屋外側の面と隙間を存して対向配置されたヘッダーカバーあるいは外装カバーと、前記屋外側の面の全幅にわたって設けられ前記ヘッダーカバーあるいは外装カバーの下端部と前記屋外側の面との間から雨水や埃等の異物が侵入するのを阻止する異物侵入阻止部材とを具備することを特徴とするエレベータのドア装置。
【請求項２】
乗場あるいはかごのドアと、このドアの屋外側の面と隙間を存して対向配置されたヘッダーカバーあるいは外装カバーと、前記ドアのかご側の面と隙間を存して対向配置された幕板と、前記かご側の面の全幅にわたって設けられ前記屋外側の面から前記ドアの上端部を乗り越えて前記かご側の面に回り込んできた雨水や埃等の異物が前記幕板の下端部と前記かご側の面との間の隙間に侵入するのを阻止する異物侵入阻止部材とを具備することを特徴とするエレベータのドア装置。
【請求項３】
前記異物侵入阻止部材は、前記ドアの屋外側または屋内側の面に対して直交する方向に突出すると共に前記ドアの幅方向に植設された多数の毛を有するブラシ状のものであることを特徴とする請求項１又は請求項２に記載のエレベータのドア装置。
【請求項４】
前記異物侵入阻止部材は、両端が閉じられた雨樋状に形成されたことを特徴とする請求項１又は請求項２記載のエレベータのドア装置。
【請求項５】
乗場あるいはかごのドアと、このドアの屋外側の面と隙間を存して対向配置されたヘッダーカバーあるいは外装カバーと、前記ドアの上端部に設けられ前記ドアの屋外側の面を伝わって前記上端部を乗り越えて前記ドアのかご側の面へ回り込もうとする異物を阻止する壁を前記ドアの全幅にわたって形成する異物回り込み阻止部材とを具備することを特徴とするエレベータのドア装置。
【請求項６】
前記ドアを吊り下げ支持するハンガーが前記異物回り込み阻止部材を兼ねることを特徴とする請求項５記載のエレベータのドア装置。
【発明の詳細な説明】
【０００１】
【発明の属する技術分野】
本発明は、屋外用エレベータの乗場あるいはかごに用いられるドア装置に関するものである。
【０００２】
【従来の技術】
図９は従来のエレベータのかご側のドア装置の外装カバーを取り外した状態の正面図、図１０は図９のドア装置のヘッダー部分の部分断面図である。
【０００３】
図９において、１０１はドアであり、左右方向にスライドして出入口を開閉する。ドア１０１の上方にはドア１０１を開閉動作させる駆動機構１０２が設けられている。この駆動機構１０２は、かご枠に取り付けられた鉄板に左右に延びるように固定されたレール１０３、このレール１０３上を転動するハンガーローラ１０４、このハンガーローラ１０４が取り付けられると共にドア１を吊り下げ支持するハンガー１０５、このハンガー１０５が取り付けられた無端状の駆動ベルト１０６、この駆動ベルト１０６を駆動するモータ１０７等を備えている。
【０００４】
図１０に示すように、この駆動機構１０２の屋外側は、ドア１０１の屋外側の面１０１ａと隙間１０８を存して対向配置された外装カバー１０９（乗場ドアの場合はヘッダーカバー）で覆われている。また、駆動機構１０２のかご側は、ドア１０１のかご側の面１０１ｂと隙間１１０を存して対向配置された幕板１１１で覆われている。さらに、幕板１１１の内側の装置を見えなくするために、目隠し板１１２が設けられている。なお、乗場側のドア装置も同様の構成となっている。
【０００５】
【発明が解決しようとする課題】
上記従来のドア装置では、ドア１０１と外装カバー１０９（ヘッダーカバー）の間、あるいはドア１０１と目隠し板１１２の間に、ドア１が開閉動作を行うための隙間１０８あるいは１１０が設けられている。そのため、屋外用エレベータの場合、風に吹き上げられた雨水や埃等の異物がドア１０１と外装カバー１０９の間に入り込んだり、ドア１０１に付着した雨水が風で吹き上げられてドア１０１の屋外側の面１０１ａを伝って外装カバー１０９との間に入り込んだりすることがあった。
【０００６】
また、かご側のドアでは、かごが降下するときの風圧で雨水や埃が外装カバー１０９とドア１０１の間に入り込んだり、ドア１０１に付着した雨水が風で吹き上げられてドア１０１の屋外側の面１０１ａを伝って外装カバー１０９との間に入り込んだりすることがあった。ドア１０１と外装カバー１０９の間に入り込んだ雨水や埃はそのままドア１０１のかご側の面１０１ｂに回り込み、ドア１０１を伝って乗場やかご室内に流れ込むことがあった。
【０００７】
本発明は上記問題点に鑑みてなされたものであり、その目的は、屋外の雨水や埃等の異物が乗場あるいはかご室内に回り込まないようにしたエレベータのドア装置を提供することにある。
【０００８】
【課題を解決するための手段】
上記目的を達成するために、第１の発明は、乗場あるいはかごのドアと、このドアの屋外側の面と隙間を存して対向配置されたヘッダーカバーあるいは外装カバーと、前記屋外側の面の全幅にわたって設けられ前記ヘッダーカバーあるいは外装カバーの下端部と前記屋外側の面との間から雨水や埃等の異物が侵入するのを阻止する異物侵入阻止部材とを具備することを特徴とするエレベータのドア装置である。
【０００９】
また、第２の発明は、乗場あるいはかごのドアと、このドアの屋外側の面と隙間を存して対向配置されたヘッダーカバーあるいは外装カバーと、前記ドアのかご側の面と隙間を存して対向配置された幕板と、前記かご側の面の全幅にわたって設けられ前記屋外側の面から前記ドアの上端部を乗り越えて前記かご側の面に回り込んできた雨水や埃等の異物が前記幕板の下端部と前記かご側の面との間の隙間に侵入するのを阻止する異物侵入阻止部材とを具備することを特徴とするエレベータのドア装置である。
【００１０】
また、第３の発明は、乗場あるいはかごのドアと、このドアの屋外側の面と隙間を存して対向配置されたヘッダーカバーあるいは外装カバーと、前記ドアの上端部に設けられ前記ドアの屋外側の面を伝わって前記上端部を乗り越えて前記ドアのかご側の面へ回り込もうとする異物を阻止する壁を前記ドアの全幅にわたって形成する異物回り込み阻止部材とを具備することを特徴とするエレベータのドア装置である。
【００１１】
【発明の実施の形態】
以下、本発明の一実施形態を図面と共に詳述する。図１は本発明の第１の実施形態であるかご側のドア装置の外装カバーを取り外した状態の正面図、図２は図１のヘッダー部分の部分断面図である。
【００１２】
図１において、１はドアであり、左右方向にスライドして出入口を開閉する。ドア１の上方にはドア１を開閉動作させる駆動機構２が設けられている。この駆動機構２は、かご枠に取り付けられた鉄板に左右に延びるように固定されたレール３、このレール３上を転動するハンガーローラ４、このハンガーローラ４が取り付けられると共にドア１を吊り下げ支持するハンガー５、このハンガー５が取り付けられた駆動ベルト６、この駆動ベルト６を駆動するモータ７等を備えている。
【００１３】
図２に示すように、この駆動機構２の屋外側は、ドア１の屋外側の面１ａと隙間８を存して対向配置された外装カバー９（乗場ドアの場合はヘッダーカバー）で覆われている。また、駆動機構２のかご側は、ドア１のかご側の面１ｂと隙間１０を存して対向配置された幕板１１で覆われている。さらに、幕板１１の内側の装置を見えなくするために、目隠し板１２が設けられている。なお、乗場側のドア装置も同様の構成となっている。
【００１４】
また、ドア１の屋外側の面１ａにおける外装カバー３の下端部９ａのやや上方の部位に、屋外側の面１ａの全幅にわたって異物侵入阻止部材１３が設けられている。この異物侵入阻止部材１３は、外装カバー９の下端部とドア１の屋外側の面１ａとの間から雨水や埃等の異物が侵入するのを阻止する。
【００１５】
この異物侵入阻止部材１３は板金等で形成された矩形状の板材の一方の側端部１３ａを上方に直角に折曲し、他方の側端部１３ｂを下方に直角に折曲したもので、一方の側端部１３ａがドア１の屋外側の面１ａに固定されている。
【００１６】
外装カバー９の下端部９ａは、異物侵入阻止部材１３の側端部１３ｂを巻き込むように断面Ｕ字状に形成されていて、側端部１３ｂといわゆる合じゃくりの構造を成している。
【００１７】
このように構成することで、雨水や埃等がかごの降下時の風圧でドア１と外装カバー９の間に入り込んできたり、ドア１の屋外側の面１ａを伝ってドア１と外装カバー９の間に入り込んできたりしたときに異物侵入阻止部材１３によって堰き止められ、それ以上は侵入できないため、雨水や埃等が乗場やかご室内に回り込んでくるのを防止することができる。
【００１８】
なお、図３に示すように、異物侵入阻止部材１３を、ドア１の屋外側の面１ｂに対して直交する方向に突出すると共にドア１の幅方向に植設された多数の毛１３ａを有するブラシ状のものとすると、毛１３ａを撓ませることにより異物侵入阻止部材１３が隙間８を通過することができるので、外装パネル３をドア１に取り付けた状態で異物侵入阻止部材１３をドア１に着脱することができ、製造やメンテナンスが容易にが容易になるという利点が有る。また、毛１３ａを吸水性が良好なものとすると、雨水の侵入をより確実に防止することができるので好ましい。
【００１９】
次に、本発明の第２の実施形態を説明する。図４は本発明の第２の実施形態であるかご側のドア装置の部分断面図である。なお、本実施形態において、第１の実施形態と同一の部分には同一の符号を付してあり、説明を省略してある。
【００２０】
本実施形態では、ドア１のかご側の面１ｂにおける幕板１１の下端部１１ａのやや上方の部位に、かご側の面１ｂの全幅にわたって異物侵入阻止部材１４が設けられており、ドア１の屋外側から上端部を乗り越えてかご側に回り込んできた雨水や埃等の異物が幕板１１の下端部１１ａとドア１のかご側の面１ｂとの間の隙間１０に侵入するのを阻止するようにしている。
【００２１】
すなわち、異物侵入阻止部材１４は、細長い矩形板状に形成されており、その一方の側端部１４ａがドア１のかご側の面１ｂに固定されて面１ｂから水平に突出している。異物侵入阻止部材１４の他方の側端部１４ｂは、目隠し板１２の下端部１２ａと幕板１１の下端部１１ａの間の隙間を通って幕板１１の下端部１１ａよりもかご側に位置している。
【００２２】
このように構成することで、かごの降下時の風圧でドア１と外装カバー９の間に入り込んできた雨水や埃等がドア１の上端部を乗り越えてかご側に回り込んできたときに異物侵入阻止部材１４によって堰き止められ、幕板１１とドア１の間の隙間１０に侵入できないため、雨水や埃等が乗場やかご室内に回り込んでくるのを防止することができる。
【００２３】
この場合においても、異物侵入阻止部材１４を、ドア１の面１ｂに対して直交する方向に突出すると共にドア１の幅方向に植設された多数の毛を有するブラシ状のものとすると、毛を撓ませることにより異物侵入阻止部材が隙間１０を通過することができるので、幕板１１をドア１に取り付けた状態で異物侵入阻止部材をドア１に着脱することができ、製造やメンテナンスが容易にが容易になる。また、毛を吸水性が良好なものとすると、雨水の侵入をより確実に防止することができるので好ましい。
【００２４】
次に、本発明の第３の実施形態を説明する。図５は本発明の第３の実施形態であるかご側のドア装置の部分断面図である。なお、本実施形態において、第２の実施形態と同一の部分に同一の符号を付してあり、説明を省略してある。
【００２５】
本実施形態では、異物侵入阻止部材１４は、両端が閉じられた雨樋状に形成されている。
【００２６】
このように構成することで、かごの降下時の風圧でドア１と外装カバー９の間に入り込んできた雨水や埃等がドア１の上端部を乗り越えてかご側に回り込んできたときに異物侵入阻止部材１４に溜まるため、雨水や埃等が乗場やかご室内に回り込んでくるのを防止することができる。異物侵入阻止部材１４に溜まった雨水はいずれ蒸発して無くなる。
【００２７】
なお、雨樋状で且つ少なくとも一端が開口した異物侵入阻止部材を傾けた状態で取り付け、異物侵入阻止部材により堰き止められた雨水を異物侵入阻止部材の一端から外側に排出するようにしてもよい。図６は、第１の実施形態の異物侵入阻止部材１３をこのような構造にした例を示している。すなわち、中央開きのドア１，１の屋外側の面の上部に、雨樋状で且つ一端が開口した異物侵入阻止部材１３，１３をハの字形を成すように取り付け、異物侵入阻止部材１３，１３で堰き止められた雨水が異物侵入阻止部材１３，１３の一端からドア１，１の左右の間口の外に排出されるようにしている。
【００２８】
次に、本発明の第４の実施形態を説明する。図８は本発明の第４の実施形態であるかご側のドア装置の部分断面図である。なお、本実施形態において、第１の実施形態と同一の部分には同一の符号を付してあり、説明を省略してある。
【００２９】
本実施形態では、各ドア１の上端部に板金等の板材により形成された異物回り込み阻止部材１５が取り付けられている。この異物回り込み阻止部材１５は、矩形状の板材から成り、ドア１の全幅にわたって延在し、一方の側端部１５ａが上方に直角に折曲され、他方の側端部１５ｂが下方に折曲されている。
【００３０】
このように構成することで、側端部１５ａ、１５ｂが、ドア１の屋外側の面１ａを伝わって上端部を乗り越えてかご側の面１ｂへ回り込もうとする異物を阻止する壁として機能するので、雨水や埃等が乗場やかご室内に回り込んでくるのを防止することができる。
【００３１】
なお、ドア１を吊り下げ支持するハンガー５がこの異物回り込み阻止部材１５を兼ねるようにしてもよい。すなわち、通常は、図８（ａ）に示すように、ドア１の上端部に複数個のハンガー５が間隔をおいて取り付けられているが、図８（ｂ）に示すように、ハンガー５を一枚の板材でドア１の全幅にわたって延在するように形成するか、あるいは複数個のハンガーを、これらの間に隙間がほとんど生じないように近接させてドア１の上端部に取り付けるようにする。このようにすると、異物回り込み阻止部材を別に設ける必要が無くなるため、部品点数を削減することができる。
【００３２】
なお、図８（ｃ）に示すように、ハンガーとしての機能及び異物回り込み防止機能を阻害しない範囲で切欠部１６を設けたり、あるいは複数個のハンガー５の間の部分を、ハンガー５よりも高さの低い部材で埋めるようにすれば、軽量化を図ることができる。
【００３３】
【発明の効果】
以上のように、本発明によれば、雨水や埃等がかごの降下時の風圧でドアと外装カバーの間に入り込んできたり、ドアの屋外側の面伝ってドアと外装カバーの間に入り込んできたりしたときに、雨水や埃等が乗場やかご室内に回り込んでくるのを防止することができる。
【図面の簡単な説明】
【図１】本発明の第１の実施形態であるかご側のドア装置の外装カバーを取り外した状態の正面図。
【図２】図１のヘッダー部分の部分断面図。
【図３】第１の実施形態の変形例の部分断面図。
【図４】本発明の第２の実施形態であるかご側のドア装置の部分断面図。
【図５】本発明の第３の実施形態であるかご側のドア装置の部分断面図。
【図６】第１の実施形態の変形例を示しており、外装カバーを取り外した状態の正面図。
【図７】本発明の第４の実施形態であるかご側のドア装置の部分断面図。
【図８】第４の実施形態の変形例を示しており、かご側のドア装置の上部の斜視図。
【図９】従来のかご側のドア装置の外装カバーを取り外した状態の正面図。
【図１０】図９のドア装置のヘッダー部分の部分断面図。
【符号の説明】
１　ドア
９　外装カバー
１３　異物侵入阻止部材
１４　異物侵入阻止部材
１５　異物回り込み阻止部材
【図１】
2004115182.tif 000003
【図２】
2004115182.tif 000004
【図３】
2004115182.tif 000005
【図４】
2004115182.tif 000006
【図５】
2004115182.tif 000007
【図６】
2004115182.tif 000008
【図７】
2004115182.tif 000009
【図８】
2004115182.tif 000010
【図９】
2004115182.tif 000011
【図１０】
2004115182.tif 000012